(57)【要約】  【課題】  額面の印刷されたシートに画像を印刷する前に、印刷する画像を確認することができる画像印刷装置を提供する。  【解決手段】  撮影画像を受信する受信部３１と、その撮影画像を表示する表示部３３と、印刷の許否に関する情報である印刷許否情報を受け付ける受付部３４と、額面に関する領域を有するシートに、撮影画像を印刷する印刷部３５と、受け付けられた印刷許否情報が印刷を許可する旨である場合には、撮影画像を印刷するように印刷部３５を制御し、受け付けられた印刷許否情報が印刷を許可しない旨である場合には、撮影画像を印刷しないように印刷部３５を制御する印刷制御部３６とを備える。【選択図】  図１
2005045709.tif 000002
【特許請求の範囲】
【請求項１】
撮影画像を受信する受信部と、
前記撮影画像を表示する表示部と、
印刷の許否に関する情報である印刷許否情報を受け付ける受付部と、
額面に関する領域を有するシートに、前記撮影画像を印刷する印刷部と、
前記印刷許否情報に基づいて、前記印刷部による印刷を制御する印刷制御部と、を備えた画像印刷装置。
【請求項２】
前記印刷制御部は、前記印刷許否情報が印刷を許可する旨である場合には、前記撮影画像を印刷するように前記印刷部を制御し、前記印刷許否情報が印刷を許可しない旨である場合には、前記撮影画像を印刷しないように前記印刷部を制御する、請求項１記載の画像印刷装置。
【請求項３】
前記印刷許否情報が印刷を許可しない旨である場合に、その旨を出力する出力部をさらに備えた、請求項１または２記載の画像印刷装置。
【請求項４】
画像を撮影する画像撮影装置と、画像を印刷する画像印刷装置とを備えた画像印刷システムであって、
前記画像撮影装置は、
被写体の画像を撮影する撮影部と、
前記撮影部が撮影した撮影画像を送信する送信部と、を有し、
前記画像印刷装置は、
前記送信部が送信した撮影画像を受信する受信部と、
前記撮影画像を表示する表示部と、
印刷の許否に関する情報である印刷許否情報を受け付ける受付部と、
額面に関する領域を有するシートに、前記撮影画像を印刷する印刷部と、
前記印刷許否情報に基づいて、前記印刷部による印刷を制御する印刷制御部と、を有する画像印刷システム。
【請求項５】
請求項４記載の画像印刷システムを構成する画像撮影装置。
【請求項６】
撮影画像を受信する受信ステップと、
前記撮影画像を表示する表示ステップと、
印刷の許否に関する情報である印刷許否情報を受け付ける受付ステップと、
前記印刷許否情報が印刷を許可する旨である場合には、額面に関する領域を有するシートに、前記撮影画像を印刷し、前記印刷許否情報が印刷を許可しない旨である場合には、前記撮影画像の印刷を行わない印刷ステップと、を備えた画像印刷方法。
【発明の詳細な説明】
【技術分野】
【０００１】
本発明は、画像を印刷する画像印刷装置等に関する。
【背景技術】
【０００２】
切手などのように、公的な機関や、あるいは私的な団体などが発行する額面の印刷されたシートに対して、人物の顔等の画像を印刷する方法などが考えられてきている（例えば、特許文献１参照）。
【０００３】
また、パスポートのための証明写真等を、ユーザが撮影機器を操作することにより撮影する方法において、撮影した画像から印刷する画像をユーザが選択できる方法なども考えられてきている（例えば、特許文献２，３参照）。
【特許文献１】特許第３２９３５１７号公報（第２頁−第３頁、第１図等）
【特許文献２】特許第２９７７５３２号公報（第３頁−第５頁、第１図等）
【特許文献３】特許第２９７７５３３号公報（第３頁−第５頁、第１図等）
【発明の開示】
【発明が解決しようとする課題】
【０００４】
しかしながら、切手などの額面の印刷されたシートは、不特定多数の人たちの手にわたることが考えられる。したがって、公序良俗に反する画像や、著作権法上、あるいは肖像権に関する問題を生ずるような画像を、そのようなシートに印刷することは適切でない。
【０００５】
また、証明写真等を印刷する場合のように、撮影した画像から印刷する画像を選択したとしても、撮影したユーザ自身が選択したのでは、公序良俗に反する画像等の切手シート等への印刷を防止することはできない。
【０００６】
本発明は、上記問題点を解決するためになされたものであり、額面に関する領域を有するシートに画像を印刷する前に、印刷する画像を確認することができる画像印刷装置等を提供することを目的とする。
【課題を解決するための手段】
【０００７】
上記目的を達成するため、本発明による画像印刷装置は、撮影画像を受信する受信部と、前記撮影画像を表示する表示部と、印刷の許否に関する情報である印刷許否情報を受け付ける受付部と、額面に関する領域を有するシートに、前記撮影画像を印刷する印刷部と、前記印刷許否情報に基づいて、前記印刷部による印刷を制御する印刷制御部とを備えたものである。
【０００８】
このように構成された本発明によれば、額面に関する領域を有するシートに撮影画像を印刷する前に、印刷する画像を、表示部の表示によって確認することができる。したがって、例えば、その撮影画像が、そのシートに印刷するのにふさわしくないものである場合には、印刷を許可する旨の印刷許否情報を受付部に渡さないことにより、その撮影画像のシートへの印刷を阻止することができる。その結果、例えば、公序良俗に反する画像等が印刷された切手が、多くの人の目に触れること防止でき、公共性の高い切手等の社会的信用が失墜することを防止できる。
【０００９】
また、本発明による画像印刷装置では、前記印刷制御部が、前記印刷許否情報が印刷を
許可する旨である場合には、前記撮影画像を印刷するように前記印刷部を制御し、前記印刷許否情報が印刷を許可しない旨である場合には、前記撮影画像を印刷しないように前記印刷部を制御してもよい。
【００１０】
また、本発明による画像印刷装置では、前記印刷許否情報が印刷を許可しない旨である場合に、その旨を出力する出力部をさらに備えてもよい。
【００１１】
このように構成された本発明によれば、印刷がされない旨が出力されることにより、例えば、印刷許否情報を受付部に渡した者が、その旨を確認することができ、あるいは撮影画像を画像印刷装置に送信した者が、その旨を知ることができる。
【００１２】
また、本発明による画像印刷システムは、画像を撮影する画像撮影装置と、画像を印刷する画像印刷装置とを備えた画像印刷システムであって、前記画像撮影装置が、被写体の画像を撮影する撮影部と、前記撮影部が撮影した撮影画像を送信する送信部と、を有し、前記画像印刷装置が、前記送信部が送信した撮影画像を受信する受信部と、前記撮影画像を表示する表示部と、印刷の許否に関する情報である印刷許否情報を受け付ける受付部と、額面に関する領域を有するシートに、前記撮影画像を印刷する印刷部と、前記印刷許否情報に基づいて、前記印刷部による印刷を制御する印刷制御部とを有するものである。
【００１３】
このように構成された本発明によれば、額面に関する領域を有するシートに撮影画像を印刷する前に、印刷する画像を、表示部の表示によって確認することができる。
【発明の効果】
【００１４】
以上の説明から明らかなように、本発明による画像印刷装置等によれば、画像を印刷する前に、印刷する画像を確認することができ、印刷にふさわしくない撮影画像の印刷を防止することができる。
【発明を実施するための最良の形態】
【００１５】
（実施の形態１）
本発明の実施の形態１による画像印刷システムについて、図面を参照しながら説明する。
【００１６】
図１は、本実施の形態による画像印刷システムの構成を示すブロック図である。図１において、本実施の形態による画像印刷システムは、通信回線２０を介して接続された画像撮影装置１０と、画像印刷装置３０とを備える。
【００１７】
画像撮影装置１０は、さらに、撮影部１１と、送信部１２とを有する。撮影部１１は、被写体１３の画像を撮影するものであり、例えば、デジタルスチルカメラである。その撮影された画像の形式は、ＪＰＥＧや、ＧＩＦ、ＴＩＦＦなど、どのような形式であってもよい。そして、撮影した画像の電子データが送信部１２に渡される。送信部１２は、撮影部１１が撮影した画像を、無線あるいは有線の通信回線２０を介して画像印刷装置３０に送信する。
【００１８】
なお、撮影部１１が撮影した画像に対して、所定の加工（例えば、拡大・縮小や背景の除去、所定の背景の合成、明るさの調整などの画像処理、あるいはトリミングなど）を施したものを送信部１２が送信してもよい。また、通信回線２０は、インターネットのようなグローバルな通信回線でもよく、ＬＡＮのようなローカルな通信回線でもよく、あるいは、画像撮影装置１０と画像印刷装置３０とを結ぶ導線であってもよい。また、通信回線２０を介した画像の送信は、例えば、メールサーバやウェブサーバのような所定のサーバを経由して行われてもよい。
【００１９】
また、図１では、被写体１３が画像撮影装置１０の内部にある場合を示しているが、画像撮影装置１０は、証明写真を撮影するブースのように、画像撮影装置１０の内部の被写
体１３を撮影するものであってもよく、あるいは画像撮影装置１０の外部の被写体１３を撮影するものであってもよい。
【００２０】
画像印刷装置３０は、さらに、受信部３１と、蓄積部３２と、表示部３３と、受付部３４と、印刷部３５と、印刷制御部３６と、出力部３７とを有する。
【００２１】
受信部３１は、送信部１２から送信された撮影画像を受信し、蓄積部３２に渡す。蓄積部３２は、受信部３１から受け取った撮影画像を、所定の記録媒体に蓄積する。この記録媒体は、例えば、半導体メモリや、光ディスク、磁気ディスク等であり、蓄積部３２が有していてもよく、あるいは蓄積部３２の外部（画像印刷装置３０の外部でもよい）に存在してもよい。また、この記録媒体は、撮影画像を一時的に記憶するものであってもよく、そうでなくてもよい。
【００２２】
表示部３３は、蓄積部３２が蓄積した撮影画像を、例えば、ＣＲＴや、液晶ディスプレイなどの表示デバイスに表示する。なお、表示部３３は、表示デバイスを含んでいてもよく、あるいは表示デバイスを駆動するドライバのみであってもよい。
【００２３】
受付部３４は、所定の入力デバイス（例えば、キーボードやマウス、スイッチなど）により入力された印刷許否情報を受け付ける。ここで、印刷許否情報とは、印刷の許否に関する情報である。すなわち、印刷許否情報により、印刷が許可されるのか、あるいは印刷が許可されないのかが示される。この印刷許否情報は、例えば、印刷の許否を示すフラグである。
【００２４】
印刷部３５は、蓄積部３２が蓄積した撮影画像を印刷するものであり、印刷を行うプリンタと、そのプリンタのドライバとから構成される。この印刷は、額面に関する領域を有するシートに対してなされる。このシートは、例えば、切手や印紙、トラベラーズ・チェック、あるいは証券などである。また、額面に関する領域は、撮影画像の印刷より以前にシートに設けられていてもよく、撮影画像の印刷の後にシートに印刷等することにより設けてもよく、あるいは、撮影画像の印刷と同時にシートに印刷等してもよい。なお、額面とは、所定の価値、価格等を表示するものであり、例えば、切手や印紙の金額表示や、株券における株数などのことである。また、このシートには、偽造や訂正、複製等を防止するための所定の処理（例えば、透かしを入れたり、特殊なインクを使用したり、超微細な文字、数字などを形成したりすることなど）を行っていてもよい。
【００２５】
印刷制御部３６は、受付部３４で受け付けられた印刷許否情報に基づいて、印刷部３５に印刷を行わせるかどうかを制御する。すなわち、受付部３４で受け付けられた印刷許否情報が、印刷を許可する旨である場合には、撮影画像の印刷を行うように印刷部３５を制御し、印刷許否情報が印刷を許可しない旨である場合には、撮影画像の印刷を行わないように印刷部３５を制御する。
【００２６】
出力部３７は、印刷許否情報が印刷を許可しない旨である場合に、その旨を出力する。この出力は、ディスプレイなどへの映像出力や、スピーカなどによる音声出力でもよく、所定の記録媒体への記録でもよく、通信回線２０を介した送信でもよく、あるいはプリントアウトなどでもよい。また、出力部３７は、出力デバイス（例えば、ディスプレイやスピーカ、プリンタなど）を含んでいてもよく、あるいは出力デバイスを駆動するドライバのみであってもよい。
【００２７】
なお、受信部３１が受信した画像に対して、所定の加工（例えば、拡大・縮小や背景の除去、所定の背景の合成、明るさの調整などの画像処理、あるいはトリミングなど）を施す手段を、画像印刷装置３０が有していており、その所定の加工が施された後の画像を印刷してもよい。
【００２８】
次に、本実施の形態による画像印刷システムの動作について説明する。
【００２９】
まず、画像撮影装置１０の動作について説明する。画像撮影装置１０の撮影部１１は、例えば、被写体１３である人物の上半身や顔などを撮影し、撮影した撮影画像の電子データを送信部１２に渡す。送信部１２は、受け取った撮影画像を通信回線２０を介して画像印刷装置３０に送信する。ここで、被写体１３が人物である場合について説明したが、被写体１３は、人物以外の動物やその他の有体物などであってもよい。したがって、画像撮影装置１０を移動させることができる場合には、被写体１３は建築物や、風景などであってもよい。この画像撮影装置１０は、例えば、デジタルスチルカメラを有する携帯電話や、デジタルスチルカメラに接続されたＰＣ（Ｐｅｒｓｏｎａｌ  Ｃｏｍｐｕｔｅｒ）であってもよく、あるいは、人物の上半身の画像を撮影するための所定の場所に固定された装置であってもよい。
【００３０】
次に、画像印刷装置３０の動作について説明する。図２は、本実施の形態による画像印刷装置３０の動作を示すフローチャートである。
【００３１】
（ステップＳ１０１）受信部３１は、通信回線２０を介して撮影画像を受信したかどうかを判断する。受信した場合には受信した撮影画像を蓄積部３２に渡してステップＳ１０２に進み、受信していない場合には受信するまでステップＳ１０１の判断処理を繰り返す。
【００３２】
（ステップＳ１０２）蓄積部３２は、受信部３１から受け取った撮影画像を所定の記録媒体に蓄積する。
【００３３】
（ステップＳ１０３）表示部３３は、蓄積部３２が蓄積した撮影画像を、所定の表示デバイスに表示する。この表示を見ることにより、オペレータは、撮影画像が印刷するのにふさわしいものであるかどうか、すなわち、切手等のシートに表示するのにふさわしいかどうかを判断することができる。例えば、表示された画像が公序良俗に反するものである場合、第三者を誹謗・中傷する内容である場合、法令に違反する場合、著作権、商標権、肖像権等の侵害のおそれがある場合などには、印刷するのにふさわしくないと判断することができる。
【００３４】
（ステップＳ１０４）受付部３４は、オペレータが所定の入力デバイスから入力した印刷許否情報を受け付けたかどうかを判断する。印刷許否情報を受け付けた場合には、その印刷許否情報を印刷制御部３６に渡してステップＳ１０５に進み、受け付けていない場合には受け付けるまでステップＳ１０４の判断処理を繰り返す。
【００３５】
（ステップＳ１０５）印刷制御部３６は、印刷許否情報が印刷を許可するものであるかどうかを判断する。印刷許否情報が印刷を許可するものである場合には、印刷制御部３６は、印刷を行う旨の指示を印刷部３５に渡してステップＳ１０６に進み、印刷を許可しない旨である場合には、印刷制御部３６は、印刷が許可されなかった旨を出力部３７に渡してステップＳ１０７に進む。
【００３６】
（ステップＳ１０６）印刷部３５は、印刷を行う旨の指示を受け取ると、蓄積部３２が蓄積した撮影画像を読み出して、額面に関する領域を有するシートに、その読み出した撮影画像を印刷する。そして、ステップＳ１０１に戻る。
【００３７】
（ステップＳ１０７）出力部３７は、印刷が許可されなかった旨を受け取ると、その旨を所定の出力デバイスを介して出力する。そして、ステップＳ１０１に戻る。
【００３８】
なお、図２のフローチャートにおいて、電源オフや処理終了の割り込みにより処理は終了する。
【００３９】
次に、本実施の形態による画像印刷システムの動作について、具体例を用いて説明する
。この具体例においては、撮影画像を切手シートに印刷する場合について説明する。
【００４０】
画像撮影装置１０が、デジタルスチルカメラ付き携帯電話であるとすると、ユーザは、その撮影部１０（デジタルスチルカメラ）を被写体１３に向け、被写体１３の画像を撮影する。そして、ユーザが画像を送信する旨の操作を行うと、送信部１２は、撮影画像を画像印刷装置３０に送信する。
【００４１】
その画像データは受信部３１で受信され（ステップＳ１０１）、蓄積部３２により蓄積される（ステップＳ１０２）。そして、表示部３３は、撮影された画像を表示デバイスに表示する（ステップＳ１０３）。
【００４２】
画像印刷装置３０のオペレータ（撮影画像を送信したユーザとは異なる人物である）は、その表示された画像を見て、その画像が印刷するのにふさわしいかどうかを判断する。例えば、その画像が通常の人物の顔や、顔を含む上半身である場合には印刷するのにふさわしいと判断する。一方、その画像が有名な映画スターの顔の画像である場合には、その映画スター本人、あるいは映画スターの所属するプロダクションからの依頼でない限り、肖像権の侵害になるおそれがあるため、ふさわしくないと判断する。また、公序良俗に反する画像等である場合にも、印刷するのにふさわしくないと判断する。オペレータは、表示された画像が印刷にふさわしいと判断した場合には、印刷を許可する旨を示すために許可ボタンを押す。すると、印刷を許可する旨の印刷許否情報が受付部３４に渡される。一方、表示された画像が印刷にふさわしくないと判断した場合には、印刷を許可しない旨を示すために不許可ボタンを押す。すると、印刷を許可しない旨の印刷許否情報が受付部３４に渡される。
【００４３】
受付部３４は、印刷許否情報を受け付けると、その印刷許否情報を印刷制御部３６に渡す（ステップＳ１０４）。印刷制御部３６は、受け取った印刷許否情報が印刷を許可するものであるかどうか判断し、印刷を許可するものである場合には、印刷部３５に、蓄積部３２が蓄積した撮影画像を印刷する旨の指示を渡す。すると、印刷部３５は、蓄積部３２が蓄積した最新の撮影画像を読み出して、その画像を所定の切手シートに印刷する（ステップＳ１０５、Ｓ１０６）。図３は、人物の顔の画像が印刷された切手シート４０の一例を示す図である。図３で示されるように、「１０００円」の額面に関する領域４２の上側に、人物の顔の画像が印刷された領域４１が存在する。この切手シート４０はシールになっており、図４で示すように、一つの切手４３をシート４０から剥がして、手紙等に貼ることができる。
【００４４】
一方、印刷制御部３６は、受け取った印刷許否情報が印刷を許可するものでない場合には、印刷部３５に印刷を行わない旨の指示を渡し、出力部３７に印刷しない旨を出力するように指示する。すると、出力部３７は、「撮影画像の印刷を行いません」との表示を所定の表示デバイスに出力する（ステップＳ１０５、Ｓ１０７）。この表示をオペレータが見ることにより、印刷が行われないことを確認することができる。
【００４５】
なお、この出力部３７による出力は、オペレータの確認のためであってもよいが、画像を送信した者に対して、印刷が行われない旨を知らせるものであってもよい。そのような場合には、例えば、出力部３７が印刷が行われない旨の情報を画像撮影装置１０に送信出力し、その情報を画像撮影装置１０の図示しない受信部が受信し、図示しないディスプレイに表示することにより、画像を送信した者は、送信した画像の印刷が行われなかったことを知ることができる。
【００４６】
また、この具体例では、切手のシートがシールになっている場合について説明したが、裏面にのりがついたシートであってもよく、あるいはのり等のまったくついていない単なるシートであってもよい。
【００４７】
このように、本実施の形態による画像印刷システムによれば、撮影画像を表示する表示部３３と、印刷許否情報を受け付ける受付部３４と、その印刷許否情報に基づいて、印刷部３５による印刷を制御する印刷制御部３６とを備えたことで、印刷にふさわしくない画像が送信された場合には、オペレータがその画像の印刷を許可しない旨の印刷許否情報を受付部３４に入力することにより、そのような画像の印刷を防止することができ、肖像権等の権利の侵害や、公序良俗に反する行為等を防止することができる。
【００４８】
なお、本実施の形態では、印刷する場合であっても、印刷しない場合であっても印刷制御部３６から印刷部３５に対して、所定の指示が渡される場合について説明したが、印刷制御部３６は、どちらかの場合にのみ印刷部３５に指示を与えるものであってもよい。そのような場合には、印刷部３５は、印刷制御部３６からの指示がない限り、あらかじめ決められた動作を行う。したがって、例えば、印刷許可情報が印刷を許可しない旨の場合における印刷制御部３６による印刷部３５の制御は、何も指示を与えないことによる制御であってもよい。
【００４９】
また、画像印刷装置３０が画像撮影装置１０から受け取る撮影画像には、例えば、印刷後のシートの送り先や、その送り先をサーバにアクセスして検索するためのキーとなるユーザ識別子等といった所定の情報が添付されていてもよい。
【００５０】
また、本実施の形態において、各構成要素は専用のハードウェアにより構成してもよく、あるいは、ソフトウェアにより実現可能な構成要素については、プログラム制御によるソフトウェアにより構成してもよい。
【産業上の利用可能性】
【００５１】
以上のように、本発明による画像印刷装置等は、画像を印刷する前に、印刷する画像を確認することができ、例えば、切手等に画像を印刷する画像印刷装置等に有用である。
【図面の簡単な説明】
【００５２】
【図１】本発明の実施の形態１による画像印刷システムの構成を示すブロック図
【図２】同実施の形態による画像印刷装置の動作を示すフローチャート
【図３】同実施の形態における撮影画像の印刷された切手シートの一例を示す図
【図４】同実施の形態における撮影画像の印刷された切手シートの一例を示す図
【符号の説明】
【００５３】
１０  画像撮影装置
１１  撮影部
１２  送信部
３０  画像印刷装置
３１  受信部
３２  蓄積部
３３  表示部
３４  受付部
３５  印刷部
３６  印刷制御部
３７  出力部
【図１】
2005045709.tif 000003
【図２】
2005045709.tif 000004
【図３】
2005045709.tif 000005
【図４】
2005045709.tif 000006